(57)【要約】【課題】蓋と水面との間に発生する蒸気を空気と共に吸い込んで加温し、その空気を蓋の内面に当てて結露を防止し蓋の視界を確保する。【解決手段】治療体を入れ上方の開口部を透明又は半透明の蓋９で覆う水槽１と、水槽内の温水を所定温度に維持して治療を行う加温装置１２と、水槽内の水面と蓋との空間に臨んで設けた吸気部１０と排気部１１と、吸気部から吸気した空気を加温し排気部から温風として吐出し蓋の内側に吹きつける温風送風器１７とから構成し、温風によって結露を防止する。【選択図】　　　　図１
2004065520.tif 000002
【特許請求の範囲】
【請求項１】
治療体を入れる水槽と、この水槽の上部を覆う透明又は半透明の蓋と、前記水槽内の温水を取り出して加温し所定温度を維持する加温装置と、前記水槽内の水面と蓋との間の空間に臨ませた吸気部及び排気部と、前記吸気部から吸気した空気を加温し排気部から温風にして吐出する温風送風器とから構成した治療装置。
【請求項２】
前記吸気部は空間の下方に位置する水槽の側壁に取り付け前記排気部は前記吸気部より上方の空間内部に臨ませたことを特徴とする請求項１に記載の治療装置。
【請求項３】
前記温風送風器は前記吸気部に連結した通路内に設けた吸気ファンと吸気した空気を加温するヒータから成り、前記排気部の温風を蓋の内面に向けて吐出することを特徴とする請求項１に記載の治療装置。
【請求項４】
前記空間内の空気を吸気部から吸気して排気部から吐出する通路に空気中の水分を吸収し熱すると水分を放出するゼオライト及び該ゼオライトから放出する水分を凝集して水滴とする熱交換器を設け、前記ゼオライトを前記ヒータに近接して設けたことを特徴とする請求項３に記載の治療装置。
【請求項５】
前記水槽の側壁には、前記加温装置と連結し水槽内の温水を取り出す吸水口及び加温した温水を送り込む送水口を設け、前記熱交換器と送水口の水路を連通したことを特徴とする請求項３に記載の治療装置。
【発明の詳細な説明】
【０００１】
【発明の属する技術分野】
本発明は、人体やネコ等の小動物の癌やエイズの治療を行うもので、体温よりも高い湯の中に治療体を入れ全身を所定時間加温することにより癌細胞やエイズウイルスを破壊するものである。
【０００２】
【従来の技術】
癌とエイズとは治療温度が異なるが、何れの症名であっても触んだ治療体を体温よりも５〜６度程度高い温水中に所定時間の間入れて全身を加温することにより、癌細胞やエイズウイルスを破壊することは特開昭５９−６７９４７号公報に開示されている。
【０００３】
そして、治療に際しては、通常、体温に近い温度かそれよりも若干高目の湯温になった時点で治療体を水槽内に溜めた温水中に入れて所定の位置にセットした後、透明な蓋により水槽の上部を覆うようにしている。
【０００４】
蓋を透明にする理由は、治療に湯温の低下防止を目的として蓋を用い水槽内と大気とを遮断するわけであるが、治療時であっても当然のこと治療体の表情や顔色、身体に取り付けた各種センサーの離脱チェックを行う必要があるためで、緊急の場合は蓋を開け治療体を取り出したり、温水を水槽から抜いて治療体の安全を確保しなければならない。
【０００５】
【発明が解決しようとする課題】
ところが、体温よりも高い湯温の温水は多くの蒸気を発生し、それが大気により冷却されている蓋の裏面に付着して結露し、蓋を通して治療体の表情等を確認することができず緊急時に対応できないことがあった。
【０００６】
蓋の視界を確保する方法としては、適宜蓋を開けて裏面に付着した結露を拭き取ることにより可能であるが、拭き取り後の僅かの時間しか視界を確保できないと共に、治療中に蓋を開けることは温水が大気に触れて湯温低下を生じ適切な治療ができないことになるため、蓋が蒸気で曇ったり結露したその都度に蓋を開けることは避けなければならない。
【０００７】
即ち、治療中における温水の湯温は基本的に設定温度の±０．５度の範囲に管理する必要があるが、蓋を一度でも開けると直ぐに１度以上の湯温低下を生じ全く治療に適さない湯温となる。
【０００８】
そして、多くは治療後に行われる操作ではあるが、緊急時には蓋を開けることがある。この時、蓋と水槽の上部の空間との間に漂っていた蒸気が一気に上昇し視界が悪くなると共に、大気中に放出した多量の蒸気が部屋内の精密機器に悪影響を与えることにもなった。
【０００９】
本発明は、治療中に発生し蓋と水面との間に漂う蒸気を空気と共に吸気して加温し除湿を行い、この空気を加温して温風により蓋の内面に結露することを防止したものである。
【００１０】
【課題を解決するための手段】
本発明は、治療体を入れる水槽と、この水槽の上部を覆う透明又は半透明の蓋と、前記水槽内の温水を取り出して加温し所定温度を維持する加温装置と、前記水槽内の水面と蓋との間の空間に臨ませた吸気部及び排気部と、前記吸気部から吸気した空気を加温し排気部から温風にして吐出する温風送風器とから構成したものである。
【００１１】
本発明は、前記吸気部は空間の下方に位置する水槽の側壁に取り付け前記排気部は前記吸気部より上方の空間内部に臨ませたものである。
【００１２】
本発明は、前記温風送風器は前記吸気部に連結した通路内に設けた吸気ファンと吸気した空気を加温するヒータから成り、前記排気部の温風を蓋の内面に向けて吐出するものである。
【００１３】
本発明は、前記空間内の空気を吸気部から吸気して排気部から吐出する通路に空気中の水分を吸収し熱すると水分を放出するゼオライト及び該ゼオライトから放出する水分を凝集して水滴とする熱交換器を設け、前記ゼオライトを前記ヒータに近接して設けたものである。
【００１４】
本発明は、前記水槽の側壁には、前記加温装置と連結し水槽内の温水を取り出す吸水口及び加温した温水を送り込む送水口を設け、前記熱交換器と送水口の水路を連通したものである。
【００１５】
【発明の実施の形態】
図１は本発明の治療装置のシステム図、図２は同じく図１の部分拡大図である。
【００１６】
（１）は側壁（２）と底壁（３）により形成し貯湯量が約２００リットル程度の上部を開口した長方形の水槽、（４）は前記水槽の外側を囲むケース、（５）は前記水槽の側壁（２）の上部に設けた吸水口、（６）は前記水槽の側壁（２）の下部に設けた送水口、（７）は前記水槽内の底壁（３）に載置したパンチング板、（８）は前記水槽内に設置した治療体の載置台、（９）は前記水槽の上部を覆うポリカーボネートの材料よりなる透明又は半透明で開閉自在な蓋で、水槽の上部開口周縁から中央付近に向って高く傾斜している。
【００１７】
（１０）は前記水槽内に溜めた温水の所定水位による水面と蓋（９）との間に位置する側壁（２）の下寄りに取り付けた吸気部、（１１）は前記吸気部よりも上方に位置して側壁（２）に取り付けた排気部で、ノズル形状を呈しておりその吐出方向は蓋（９）の内面（内壁）に向けている。
【００１８】
（１２）は前記水槽内の温水を取り出して加温し所定温度（治療温度）を維持する加温装置で、前記吸水口（５）と送水口（６）とを連結する循環パイプ（１３）の管路にポンプ（１４）と熱源（１５）を配置し、この熱源は温度調節器（１６）により治療温度を設定する。
【００１９】
（１７）は前記吸気部（１０）と排気部（１１）との間に配置し吸気部から吸気した空気を加温し排気部から温風を吐出する温風送風器で、吸気ファン（１８）と、熱交換器（１９）と、ゼオライト（２０）と、ゼオライトに近接して配置したヒータ（２１）とから構成しており、吸気ファン（　）により吸気した蓋（９）と水面間の空気中の水分をゼオライト（２０）によって吸収し、このゼオライトをヒータ（２１）によって加温して熱交換器（１９）により凝集して水滴とする。前記熱交換器（１９）は排水パイプ（２２）によって送水口（６）側に繋がる循環パイプ（１３）の水路に連結している。
【００２０】
次に治療の動作について説明する。始めに既設の温水ボイラー等により実際の治療温度よりも若干低い４０度程度の温水を一気に水槽内に注湯する。水槽内に溜まる水量は水位センサー（図示せず）により測量され、所定水位に達した時に注湯を停止する。
【００２１】
注湯の停止後の水槽内の湯温は温度調節器（１６）によって設定された治療温度（４１〜４２．５度）よりも低いため、ポンプ（１４）を作動し水槽内の温水を循環パイプ（１３）を介して外部に取り出すと共に熱源（１５）により加温しながら水槽と加温装置間を循環させながら治療温度を維持する。
【００２２】
水槽内の湯温が治療温度となって安定すると、蓋（９）を開けて治療体を載置台（８）に載せて頭部を水面から露呈した状態で定位置にセットし、再び蓋を閉めた後治療時間を１〜２時間にセットする。
【００２３】
治療中は前記ポンプ（１４）により常に水槽（１）と熱源（１５）間を循環させながら治療体の深部（患部）の温度を上昇させて４１〜４２．５度に加温する。
【００２４】
一方、加温治療中において、医師は絶えず蓋越しに治療体の表情を監視して異状がないか否かチェックを行い、同時に他の測定器では治療体に装着した各種センサーから心拍数や呼吸数、血圧値等の生理値をモニターする。
【００２５】
チェックやモニターに異状がなければ設定された治療時間の間治療を続行するわけであるが、もしも表情に異状が生じた場合は程度に応じて冷却水を水槽中に直接注水して急激に湯温を下げたり、水槽内に設置したラジエータに注水して間接的に湯温を下げて安全を確保する必要がある。
【００２６】
前述の様に治療体の表情は蓋を透かしてチェックするわけであるが、水槽内の湯面からは蒸気が上昇し蓋との間の空間に充満する。この蒸気を含んだ空気は、図２の矢印の様に吸気ファン（１８）によって吸気され、一旦ゼオライト（２０）で水分を吸収し、ヒータ（２１）で加温されたゼオライトはその水分を放出して熱交換器（１９）により凝集し下方に落して排水パイプ（２２）を介し送水口（６）に繋がる循環パイプ（１３）に流し水槽内の温水と混合する。
【００２７】
吸気ファン（１８）により吸気した水面と蓋（９）との間の空気は前述の様にゼオライト（２０）と熱交換器（１９）によって水分を取り除いた後、ヒータ（２１）によって加温され温風となり排気部（１１）から蓋（９）の内壁に向けて吐出する。これにより蓋の内壁が加温され結露の発生を抑える。
【００２８】
【発明の効果】
以上の様に本発明は、水槽の水面と蓋との間の空気を吸い込み温風送風器により温風として蓋の内側に吐出して蓋の結露を防止し蓋の視界を確保する。
【００２９】
水面と蓋との間の蒸気を含んだ空気の吸い込みは、水面から露呈する治療体の呼吸器管内に多量の蒸気が入り込むのを防止することもできる。
【００３０】
また、水面と蓋との間の空気を吸い込む吸気部よりも上方に排気部を設けたため、排気部から吐出する温風によって吸気部から吸い込まれる空気の流れを妨げることがなく、吸気の流れがスムースで、且つ排気部から吐出する温風を近い位置から蓋の内側に当てて蓋の曇や結露を効率よく抑えることができる。
【００３１】
そして、吸気と排気は１つの吸気ファンにより行うことができると同時に、この吸気ファンは吸気した空気をヒータに通して温風として吐出させる機能をも有する。
【００３２】
さらに、ゼオライトを設けて空気中の水分を吸収し、このゼオライトをヒータによって加温し水分を除去するため、ヒータは吸気した空気を温風に熱交換することと併せてゼオライトを加温して水分を除去する機能を有する。
【００３３】
加えて、熱交換器により空気中から取り除いた水は、水槽内の温水を循環しながら加温する加温装置の送水口に流し込むため、別個に排水用のパイプを設ける必要がなく、取り除いた水を再利用することができる。
【図面の簡単な説明】
【図１】本発明の治療装置のシステム図である。
【図２】同じく部分拡大図である。
【符号の説明】
１　水槽
５　吸水口
６　送水口
９　蓋
１０　吸気部
１１　排気部
１２　加温装置
１７　温風送風器
１８　吸気ファン
１９　熱交換器
２０　ゼオライト
２１　ヒータ
【図１】
2004065520.tif 000003
【図２】
2004065520.tif 000004